(57)【特許請求の範囲】
【請求項１】
什器（１０）の左右の支柱（１２）（１３）から前方に向けてブラケット（１４）がそれぞれ配設されており、
前記左右のブラケット（１４）間であって、該ブラケット（１４）の上面側に棚が配設されており、
前記棚の下面の前部側にＬＥＤ照明器具（２０）を配設する棚用ＬＥＤ照明装置であって、
前記ＬＥＤ照明器具（２０）を前記棚の下面側に取り付け手段により該棚を取り外すことなく着脱自在に配設しており、
前記棚はガラス棚（１５）であり、
前記ブラケット（１４）の前部にはガラス棚保持金具バー（１６）が配設されており、
前記ガラス棚保持金具バー（１６）の上面に前記ガラス棚（１５）が配設され、
前記取り付け手段は、シート状のマグネット（３２）であり、
前記マグネット（３２）を介して前記ＬＥＤ照明器具（２０）を前記ガラス棚保持金具バー（１６）の背面に着脱自在に配設していることを特徴とする棚用ＬＥＤ照明装置。
【請求項２】
前記ＬＥＤ照明器具（２０）の外殻を構成しているケーシング（２１）の前面に、該ケーシング（２１）の長手方向の略全長にわたって溝（５３）が形成されており、
前記ケーシング（２１）の前記溝（５３）内には略柱状の第２のマグネット（５０）が挿入配置されており、
前記ガラス棚保持金具バー（１６）の上面に前記ガラス棚（１５）が配設され、
前記取り付け手段は、前記第２のマグネット（５０）であり、
前記第２のマグネット（５０）を介して前記ＬＥＤ照明器具（２０）を前記ガラス棚保持金具バー（１６）の背面に着脱自在に配設していることを特徴とする請求項１に記載の棚用ＬＥＤ照明装置。
【請求項３】
前記第２のマグネット（５０）は、前記溝（５３）の開口面からは露出していないことを特徴とする請求項２に記載の棚用ＬＥＤ照明装置。
【請求項４】
前記ケーシング（２１）の背面に、該ケーシング（２１）の長手方向の略全長にわたって第３の溝（５４）が形成されていることを特徴とする請求項２に記載の棚用ＬＥＤ照明装置。
【請求項５】
前記ＬＥＤ照明器具（２０）の高さ寸法は、前記ガラス棚保持金具バー（１６）の高さ寸法と比べて同じか、あるいは低く設定していることを特徴とする請求項１に記載の棚用ＬＥＤ照明装置。
【発明の詳細な説明】
【技術分野】
【０００１】
本発明は、ガラス棚や金属製の棚の下面側に設置し、光源にＬＥＤ（発光ダイオード）を用いた棚用ＬＥＤ照明装置に関するものである。
【背景技術】
【０００２】
図５３は、ガラス板を棚に使用した什器１０の正面図を示し、図５４は該什器１０の側面図を示している。この什器１０は周知のように、台座１１の上面の両側の後部より支柱１２、１３が立設されており、この支柱１２、１３の前面には上下方向に所定の間隔をあけてブラケット１４が前方に向けて配設されている。
【０００３】
ガラス棚１５を用いた什器１０では、該ガラス棚１５の上に陳列する商品の重量によりガラス棚１５が撓んで割れたりする危険があるために、ガラス棚１５を受けるガラス棚保持金具バー１６を前記ブラケット１４の前部と後部に配設している。
鉄などの金属製で断面を四角形状としたガラス棚保持金具バー１６の両側には図５５に示すように、略Ｌ型の係止片１７が一体的に側方に向けて突出形成されている。なお、ガラス棚保持金具バー１６は、四角柱状あるいは筒状の物が用いられている。
【０００４】
図５５に示すように、ガラス棚保持金具バー１６の両側の係止片１７を左右のブラケット１４に挿入して、図５６に示すように、両側のブラケット１４にガラス棚保持金具バー１６が載置された状態で配設される。このガラス棚保持金具バー１６がブラケット１４の前部と後部に配設され、そして、図５７に示すように、前後のガラス棚保持金具バー１６の上にガラス棚１５が配設される。なお、図では、背板は省略している。
【０００５】
この状態を図５８に示す。図５８は、ガラス棚１５の上方から見た図を示しており、両側のブラケット１４の前部と後部にガラス棚保持金具バー１６が配設され、前後のガラス棚保持金具バー１６の上にガラス棚１５が配設される。
したがって、ガラス棚１５の上面に多数の商品を陳列しても、商品の荷重がガラス棚１５を介してガラス棚保持金具バー１６及びブラケット１４に掛かるために、ガラス棚１５が商品の重量により撓むのを防止している。
【０００６】
ところで、図５９は上記什器１０のガラス棚１５の下面の前部に配設される従来のＬＥＤ照明器具６０を示しており、図５９（ａ）はＬＥＤ照明器具６０の平面図を、図５９（ｂ）はＬＥＤ照明器具６０の正面図をそれぞれ示している。
この従来のＬＥＤ照明器具６０は、什器１０の種々の大きさによって左右のブラケット１４間の寸法が異なる場合でも、該ＬＥＤ照明器具６０を配設できるように、ＬＥＤ照明器具６０の両側に先端をＬ型にしたスライドフック６１がスライド自在に設けてある。
【０００７】
什器１０のガラス棚保持金具バー１６の背面側にＬＥＤ照明器具６０を配置し、該ＬＥＤ照明器具６０の左右のスライドフック６１を外側に引き出し、図６０に示すように、スライドフック６１のＬ型の部分をブラケット１４に挿入する。次いで、図６１に示すように、スライドフック６１の外面からボルト６２を挿通し、ボルト６２をブラケット１４の側面に螺着することで、ＬＥＤ照明器具６０を左右のブラケット１４間に配設している。
【０００８】
図６２は、従来のＬＥＤ照明器具６０を什器１０のガラス棚１５の下面側に配設した状態の平面図を示し、図６３はＬＥＤ照明器具６０を配設した状態の正面図を示している。
【発明の概要】
【発明が解決しようとする課題】
【０００９】
特に、この種のＬＥＤ照明器具６０では、多数のＬＥＤを用いているために、大きな形状の放熱器が必要となり、その大きな放熱器の分だけＬＥＤ照明器具６０自体も大きくせざるを得なかった。
【００１０】
また、ＬＥＤ照明器具６０は、スライドフック６１をブラケット１４に掛けてガラス棚１５の下面に配設しているために、ＬＥＤ照明器具６０を取り換える場合には、ガラス棚１５の上に陳列している商品を全部取り出して、ガラス棚１５を外してからＬＥＤ照明器具６０を取り換えねばならず、大変な労力を必要とした。
【００１１】
本発明は上述の問題点に鑑みて提供したものであって、少なくとも以下の目的を持った棚用ＬＥＤ照明装置を提供するものである。
（１）ＬＥＤ照明器具の棚側への取付、取り外しを容易にすること。
（２）ＬＥＤ照明器具を取り換える場合、棚の上に陳列している商品を取り出すことなくＬＥＤ照明器具を交換できるようにすること。
（３）ＬＥＤ照明器具を設置した場合、ガラス棚保持金具バーや、金属製の棚をヒートシンクとして利用することでＬＥＤ照明器具の放熱を効率良くすること。
（４）ＬＥＤ照明器具の放熱を効率良くすることで、ＬＥＤ照明器具の小型化を可能にすること。
（５）マグネットを介してＬＥＤ照明器具をガラス棚保持金具バーや金属製の棚に配設することで、従来のスライドフックを不要として、全体として低コスト化を図ること。
【課題を解決するための手段】
【００１２】
そこで、本発明の請求項１に記載の棚用ＬＥＤ照明装置では、什器１０の左右の支柱１２、１３から前方に向けてブラケット１４がそれぞれ配設されており、前記左右のブラケット１４間であって、該ブラケット１４の上面側に棚が配設されており、前記棚の下面の前部側にＬＥＤ照明器具２０を配設する棚用ＬＥＤ照明装置であって、
前記ＬＥＤ照明器具２０を前記棚の下面側に取り付け手段により該棚を取り外すことなく着脱自在に配設しており、前記棚はガラス棚１５であり、前記ブラケット１４の前部にはガラス棚保持金具バー１６が配設されており、前記ガラス棚保持金具バー１６の上面に前記ガラス棚１５が配設され、前記取り付け手段は、シート状のマグネット３２であり、前記マグネット３２を介して前記ＬＥＤ照明器具２０を前記ガラス棚保持金具バー１６の背面に着脱自在に配設していることを特徴としている。
【００１５】
請求項２に記載の棚用ＬＥＤ照明装置では、前記ＬＥＤ照明器具２０の外殻を構成しているケーシング２１の前面に、該ケーシング２１の長手方向の略全長にわたって溝５３が形成されており、前記ケーシング２１の前記溝５３内には略柱状の第２のマグネット５０が挿入配置されており、前記ガラス棚保持金具バー１６の上面に前記ガラス棚１５が配設され、前記取り付け手段は、前記第２のマグネット５０であり、前記第２のマグネット５０を介して前記ＬＥＤ照明器具２０を前記ガラス棚保持金具バー１６の背面に着脱自在に配設していることを特徴としている。
【００１７】
請求項３に記載の棚用ＬＥＤ照明装置では、前記第２のマグネット５０は、前記溝５３の開口面からは露出していないことを特徴としている。
【００１８】
請求項４に記載の棚用ＬＥＤ照明装置では、前記ケーシング２１の背面に、該ケーシング２１の長手方向の略全長にわたって第３の溝５４が形成されていることを特徴としている。
【００１９】
請求項５に記載の棚用ＬＥＤ照明装置では、前記ＬＥＤ照明器具２０の高さ寸法は、前記ガラス棚保持金具バー１６の高さ寸法と比べて同じか、あるいは低く設定していることを特徴としている。
【発明の効果】
【００２０】
本発明の請求項１に記載の棚用ＬＥＤ照明装置によれば、什器１０の左右の支柱１２、１３から前方に向けてブラケット１４がそれぞれ配設されており、前記左右のブラケット１４間であって、該ブラケット１４の上面側に棚が配設されており、前記棚の下面の前部側にＬＥＤ照明器具２０を配設する棚用ＬＥＤ照明装置であって、前記ＬＥＤ照明器具２０を前記棚の下面側に取り付け手段により該棚を取り外すことなく着脱自在に配設しているので、従来用いていたスライドフック６１等の取り付け用の部材を不要にできて、その分コストを削減することができる。また、ＬＥＤ照明器具２０を交換する場合でも、従来とは異なり、棚を取り外す必要がないので、陳列している商品や棚を降ろす必要がなく、ＬＥＤ照明器具２０の交換を簡単に行なうことができる。
また、前記棚はガラス棚１５であり、前記ブラケット１４の前部にはガラス棚保持金具バー１６が配設されており、前記ガラス棚保持金具バー１６の上面に前記ガラス棚１５が配設され、前記取り付け手段は、シート状のマグネット３２であり、前記マグネット３２を介して前記ＬＥＤ照明器具２０を前記ガラス棚保持金具バー１６の背面に着脱自在に配設しているので、ＬＥＤ照明器具２０の発光ダイオードＬＥＤから発する熱をケーシング２１、マグネット３２を介してガラス棚保持金具バー１６へ放熱することができ、ガラス棚保持金具バー１６を放熱効果の高いヒートシンクとして利用することができる。また、放熱用の部材が不要となり、その分、ＬＥＤ照明器具２０のケーシング２１の形状を小さくでき、ひいてはＬＥＤ照明器具２０自体を小型化することができる。
【００２３】
請求項２に記載の棚用ＬＥＤ照明装置によれば、前記ＬＥＤ照明器具２０の外殻を構成しているケーシング２１の前面に、該ケーシング２１の長手方向の略全長にわたって溝５３が形成されており、前記ケーシング２１の前記溝５３内には略柱状の第２のマグネット５０が挿入配置されており、前記ガラス棚保持金具バー１６の上面に前記ガラス棚１５が配設され、前記取り付け手段は、前記第２のマグネット５０であり、前記第２のマグネット５０を介して前記ＬＥＤ照明器具２０を前記ガラス棚保持金具バー１６の背面に着脱自在に配設しているので、従来用いていたスライドフック６１等の取り付け用の部材を不要にできて、その分コストを削減することができる。また、ＬＥＤ照明器具２０を交換する場合でも、従来とは異なり、棚を取り外す必要がないので、陳列している商品や棚を降ろす必要がなく、ＬＥＤ照明器具２０の交換を簡単に行なうことができる。
【００２５】
請求項３に記載の棚用ＬＥＤ照明装置によれば、前記第２のマグネット５０は、前記溝５３の開口面からは露出していないので、ガラス棚保持金具バー１６は、ケーシング２１の面と面接触した状態となり、ケーシング２１からガラス棚保持金具バー１６への放熱効果を一層向上させることができる。
【００２６】
請求項４に記載の棚用ＬＥＤ照明装置によれば、前記ケーシング２１の背面に、該ケーシング２１の長手方向の略全長にわたって第３の溝５４が形成されているので、ＬＥＤ照明器具２０を配設する場合、什器１０に用いられている棚がガラス棚保持金具バー１６の場合でも、所望の溝に第２のマグネット５０を配置するだけで、簡単にＬＥＤ照明器具２０を配設することができる。また、電源の関係でＬＥＤ照明器具２０を左右を逆にして配設する場合でも、第３の溝５４に第２のマグネット５０を配置するだけで、かかる場合でも対応することができる。
【００２７】
請求項５に記載の棚用ＬＥＤ照明装置によれば、前記ＬＥＤ照明器具２０の高さ寸法は、前記ガラス棚保持金具バー１６の高さ寸法と比べて同じか、あるいは低く設定しているので、什器１０を正面から見た場合に、ＬＥＤ照明器具２０は見えず、見る者に違和感を与えることもない。また、ガラス棚保持金具バー１６に陳列する商品を出し入れする際に、商品がＬＥＤ照明器具２０に接触することもなく、展示物の出し入れに支障をきたすこともない。
【図面の簡単な説明】
【００２８】
【図１】本発明の第１の実施の形態におけるＬＥＤ照明器具の平面図である。
【図２】本発明の第１の実施の形態におけるＬＥＤ照明器具の正面図である。
【図３】本発明の第１の実施の形態におけるＬＥＤ照明器具の底面図である。
【図４】本発明の第１の実施の形態におけるケーシングの断面図である。
【図５】本発明の第１の実施の形態における図２のＡ−Ａ断面図である。
【図６】本発明の第１の実施の形態におけるＬＥＤ照明器具をガラス棚保持金具バーの背面に配設した状態を示す平面図である。
【図７】本発明の第１の実施の形態におけるＬＥＤ照明器具をガラス棚保持金具バーの背面に配設した状態を示す正面図である。
【図８】本発明の第１の実施の形態におけるＬＥＤ照明器具をガラス棚保持金具バーの背面に配設した状態を示す拡大断面図である。
【図９】本発明の第１の実施の形態におけるＬＥＤ照明器具を金属製の棚の下面に配設した状態を示す平面図である。
【図１０】本発明の第１の実施の形態におけるＬＥＤ照明器具を金属製の棚の下面に配設した状態を示す正面図である。
【図１１】本発明の第１の実施の形態におけるＬＥＤ照明器具を金属製の棚の下面に配設した状態を示す拡大断面図である。
【図１２】本発明の第２の実施の形態におけるＬＥＤ照明器具の平面図である。
【図１３】本発明の第２の実施の形態におけるＬＥＤ照明器具の正面図である。
【図１４】本発明の第２の実施の形態におけるＬＥＤ照明器具の底面図である。
【図１５】本発明の第２の実施の形態におけるＬＥＤ照明器具の左側面図である。
【図１６】本発明の第２の実施の形態におけるＬＥＤ照明器具の右側面図である。
【図１７】本発明の第２の実施の形態におけるケーシングの断面図である。
【図１８】本発明の第２の実施の形態におけるＬＥＤ照明器具の断面図である。
【図１９】本発明の第２の実施の形態におけるＬＥＤ照明器具をガラス棚保持金具バーの背面に配設した状態を示す平面図である。
【図２０】本発明の第２の実施の形態におけるＬＥＤ照明器具をガラス棚保持金具バーの背面に配設した状態を示す正面図である。
【図２１】本発明の第２の実施の形態におけるＬＥＤ照明器具をガラス棚保持金具バーの背面に配設した状態を示す拡大断面図である。
【図２２】本発明の第２の実施の形態におけるＬＥＤ照明器具を金属製の棚の下面に配設した状態を示す平面図である。
【図２３】本発明の第２の実施の形態におけるＬＥＤ照明器具を金属製の棚の下面に配設した状態を示す正面図である。
【図２４】本発明の第２の実施の形態におけるＬＥＤ照明器具を金属製の棚の下面に配設した状態を示す拡大断面図である。
【図２５】本発明の第３の実施の形態におけるＬＥＤ照明器具の底面図である。
【図２６】本発明の第３の実施の形態におけるＬＥＤ照明器具の正面図である。
【図２７】本発明の第３の実施の形態における図２６のＢ方向から見た拡大図である。
【図２８】本発明の第３の実施の形態におけるＬＥＤ照明器具の平面図である。
【図２９】本発明の第３の実施の形態における図２６のＡ−Ａ拡大断面図である
【図３０】本発明の第３の実施の形態におけるＬＥＤ照明器具の回路図である。
【図３１】本発明の第３の実施の形態におけるＬＥＤ照明器具をガラス棚保持金具バーの背面に配設した状態を示す平面図である。
【図３２】本発明の第３の実施の形態におけるＬＥＤ照明器具をガラス棚保持金具バーの背面に配設した状態を示す正面図である。
【図３３】本発明の第３の実施の形態におけるＬＥＤ照明器具をガラス棚保持金具バーの背面に配設した状態を示す拡大断面図である。
【図３４】本発明の第４の実施の形態におけるＬＥＤ照明器具の平面図である。
【図３５】本発明の第４の実施の形態におけるＬＥＤ照明器具の正面図である。
【図３６】本発明の第４の実施の形態におけるＬＥＤ照明器具の底面図である。
【図３７】本発明の第４の実施の形態におけるＬＥＤ照明器具の左側面図である。
【図３８】本発明の第４の実施の形態におけるＬＥＤ照明器具の右側面図である。
【図３９】本発明の第４の実施の形態におけるケーシングの断面図である。
【図４０】本発明の第４の実施の形態におけるＬＥＤ照明器具の断面図である。
【図４１】本発明の第４の実施の形態におけるすべての溝にマグネットを挿入した場合のＬＥＤ照明器具の断面図である。
【図４２】本発明の第４の実施の形態におけるＬＥＤ照明器具の断面図である。
【図４３】本発明の第４の実施の形態におけるＬＥＤ照明器具の断面図である。
【図４４】本発明の第４の実施の形態におけるＬＥＤ照明器具の断面図である。
【図４５】本発明の第４の実施の形態におけるＬＥＤ照明器具をガラス棚保持金具バーの背面に配設した状態を示す平面図である。
【図４６】本発明の第４の実施の形態におけるＬＥＤ照明器具をガラス棚保持金具バーの背面に配設した状態を示す正面図である。
【図４７】本発明の第４の実施の形態におけるＬＥＤ照明器具をガラス棚保持金具バーの背面に配設した状態を示す拡大断面図である。
【図４８】本発明の第４の実施の形態におけるＬＥＤ照明器具を金属棚の下面に配設した状態を示す平面図である。
【図４９】本発明の第４の実施の形態におけるＬＥＤ照明器具を金属棚の下面に配設した状態を示す正面図である。
【図５０】本発明の第４の実施の形態におけるＬＥＤ照明器具を金属棚の下面に配設した状態を示す拡大断面図である。
【図５１】本発明の実施の形態における回路図である。
【図５２】本発明の実施の形態における回路図である。
【図５３】ガラス棚を用いた什器の正面図である。
【図５４】ガラス棚を用いた什器の側面図である。
【図５５】什器のブラケットにガラス棚保持金具バー及びガラス棚を設置する場合の説明図である。
【図５６】什器のブラケットにガラス棚保持金具バー及びガラス棚を設置する場合の説明図である。
【図５７】什器のブラケットにガラス棚保持金具バー及びガラス棚を設置した場合の正面図である。
【図５８】什器のブラケットにガラス棚保持金具バー及びガラス棚を設置した場合の平面図である。
【図５９】（ａ）（ｂ）は従来例のＬＥＤ照明器具の説明図である。
【図６０】従来例のＬＥＤ照明器具を什器のブラケットの配設する場合の説明図である。
【図６１】従来例のＬＥＤ照明器具を什器のブラケットの配設する場合の説明図である。
【図６２】従来例のガラス棚保持金具バーの背面側にＬＥＤ照明器具を配設した場合の平面図である。
【図６３】従来例のガラス棚保持金具バーの背面側にＬＥＤ照明器具を配設した場合の正面図である。
【発明を実施するための形態】
【００２９】
（第１の実施の形態）
以下、本発明の第１の実施の形態を図面を参照して詳細に説明する。図１はＬＥＤ照明器具２０の平面図を示し、図２はＬＥＤ照明器具２０の正面図を、図３はＬＥＤ照明器具２０の底面図をそれぞれ示している。
また、図４はＬＥＤ照明器具２０の外殻を構成しているアルミ製のケーシング２１の断面図を示しており、図５は図２のＡ−Ａ断面図を示している。
【００３０】
図１〜図５において、発光ダイオードＬＥＤを納装するケーシング２１は、両端面及び下面を開口した形状となっており、断面は略コ字型となっている。このケーシング２１の一方の端面は端板２２にて閉塞され、ケーシング２１の他方の端面には先端に図外のプラグを設けたケーブル２５を挿通させている端板２３が配設され、この端板２３にてにてケーシング２１の他方の端面が閉塞されている。
【００３１】
図３及び図５に示すように、本実施形態では発光ダイオードＬＥＤのみを実装したプリント基板２６と、このプリント基板２６とは別個に発光ダイオードＬＥＤを点灯駆動する電源回路部品を実装したプリント基板２８とをケーシング２１内で上下２段構成を配設している。
ケーシング２１の両側の内側面の下部には略全長にわたって断面を略四角形状とした溝２７が対向して凹設されていて、この両側の溝２７に透光性のカバー３０の端部が挿入され、このカバー３０によりケーシング２１の下面が閉塞されている。
【００３２】
上記溝２７の上方のケーシング２１の両側の内側面には、略全長にわたって断面を略円形とした溝５１が対向して凹設されており、この両側の溝５１に上記プリント基板２６の端部が挿入されるようになっている。
また、ケーシング２１の両側の内側面の上部には、略全長にわたって断面を略円形とした溝５２が対向して凹設されており、この両側の溝５２に上記プリント基板２８の端部が挿入されるようになっている。
【００３３】
ケーシング２１の上面及び両側の側面は平面状となっていて、各面に複数のシート状のマグネット３２が、例えば、両面テープにて装着されている。このシート状のマグネット３２の長さや、個数は任意であり、必要に応じて任意に設定可能である。
【００３４】
図６〜図８は、前記ＬＥＤ照明器具２０を什器のガラス棚１５の下面側に配設した場合を示している。ガラス棚１５が載置されるガラス棚保持金具バー１６は一般には鉄製で構成されており、この磁性体のガラス棚保持金具バー１６を利用して、ＬＥＤ照明器具２０の側面に配設したマグネット３２を介してＬＥＤ照明器具２０をガラス棚保持金具バー１６の背面に簡単に着脱自在に装着できるようにしている。
【００３５】
すなわち、ＬＥＤ照明器具２０をガラス棚保持金具バー１６の背面にマグネット３２を介して配設する場合、ＬＥＤ照明器具２０の正面にマグネット３２を接着し、ＬＥＤ照明器具２０をガラス棚保持金具バー１６の下方から入れて、マグネット３２をガラス棚保持金具バー１６の背面に吸着させるだけで、ＬＥＤ照明器具２０をガラス棚１５の下面側であって、ガラス棚保持金具バー１６の背面に簡単に配設することができる。
【００３６】
なお、マグネット３２は図１及び図２に示すように、すべてを接着した状態でガラス棚保持金具バー１６の背面にＬＥＤ照明器具２０を配設しても良く、また、ＬＥＤ照明器具２０を配設するのに必要な箇所のマグネット３２だけを予め工場で装着しておき、不要なマグネット３２は取り外しても良い。また、ＬＥＤ照明器具２０をガラス棚保持金具バー１６に配設する場合に、必要な部分のマグネット３２だけを施工現場でＬＥＤ照明器具２０の面に接着して施工するようにしても良い。
なお、マグネット類のＬＥＤ照明器具２０への装着方法は、以下の実施形態の場合でも同様である。
【００３７】
ＬＥＤ照明器具２０を交換する場合、該ＬＥＤ照明器具２０はマグネット３２を介してガラス棚保持金具バー１６の背面に配設されているだけなので、ＬＥＤ照明器具２０をガラス棚保持金具バー１６から容易に取り外すことができる。また、ＬＥＤ照明器具２０を取り外した後、新しいＬＥＤ照明器具２０を上述と同様にしてガラス棚保持金具バー１６の背面に配設する。
これにより、ＬＥＤ照明器具２０を交換する場合は、非常に簡単に行なうことができる。
【００３８】
このように、ＬＥＤ照明器具２０をマグネット３２によりガラス棚保持金具バー１６に直接取り付けることができるものであり、そのため、従来用いていたスライドフック６１等の取り付け用の部材を不要にできて、その分コストを削減することができる。
また、ＬＥＤ照明器具２０を交換する場合でも、従来とは異なり、ガラス棚１５を取り外す必要がないので、陳列している商品やガラス棚１５を降ろす必要がないものであり、ＬＥＤ照明器具２０の交換を簡単に行なうことができる。
【００３９】
また、ＬＥＤ照明器具２０をマグネット３２を介して金属製のガラス棚保持金具バー１６に直接取り付けているので、ＬＥＤ照明器具２０の発光ダイオードＬＥＤから発する熱をケーシング２１、マグネット３２を介してガラス棚保持金具バー１６へ放熱することができ、ガラス棚保持金具バー１６を放熱効果の高いヒートシンクとして利用することができる。
また、放熱用の部材が不要となり、その分、ＬＥＤ照明器具２０のケーシング２１の形状を小さくでき、ひいてはＬＥＤ照明器具２０自体を小型化することができる。
【００４０】
ところで、什器に用いる棚の種類として、上記のガラス棚１５の他に、金属製の棚も用いられている。図９〜図１１は金属棚４８の下面に上記ＬＥＤ照明器具２０をマグネット３２を介して配設するようにした場合を示している。
図１１に示すように、金属棚４８の周囲の端部４８ａは、断面を略Ｌ型、あるいは略ＪあるいはＵ型に折曲して棚自体の剛性を確保している。
【００４１】
本実施形態では、ＬＥＤ照明器具２０の上面にマグネット３２を接着させ、このマグネット３２を介して金属棚４８の下面に配設するようにしている。
このように、本実施形態においても、マグネット３２を介してＬＥＤ照明器具２０を金属棚４８の下面に直接取り付けているので、先の実施形態を同様の効果を得ることができる。
【００４２】
（第２の実施の形態）
次に、図１２〜図２４により第２の実施形態について説明する。図１２はＬＥＤ照明器具２０の平面図、図１３はＬＥＤ照明器具２０の正面図を、図１４はＬＥＤ照明器具２０の底面図をそれぞれ示している。また、図１５はＬＥＤ照明器具２０の左側面図、図１６はＬＥＤ照明器具２０の右側面をそれぞれ示している。図１７はケーシング２１の断面図を、図１８はＬＥＤ照明器具２０の断面図をそれぞれ示している。
【００４３】
先の実施形態では、マグネット３２をシート状にしていたが、本実施形態ではマグネット５０を断面を略四角柱状とした物を用いている。なお、先の実施形態と同様の機能を発揮する要素には同じ番号を付して詳細な説明は省略する。
なお、図１５及び図１６に示すように、ＬＥＤ照明器具２０の両端の端板２２、２３は、ビス７０をケーシング２１に螺着することで固定されている。
【００４４】
本実施形態での特徴は、図１２、図１３及び図１７に示すように、ケーシング２１の正面、背面及び上面にマグネット５０を装着するための溝５３〜５５を凹設していることである。
すなわち、ケーシング２１の正面の略中央部分には、断面を略六角形状とした溝５３を、ケーシング２１の略全長にわたって形成しており、また、ケーシング２１の背面の略中央部分には、断面を略六角形状とした溝５４が、ケーシング２１の略全長にわたって形成されている。
【００４５】
また、ケーシング２１の上面の前部と後部には、断面を略六角形状とした溝５５がケーシング２１の略全長にわたって形成されている。なお、２つの溝５５の間の空所５６は、ケーシング２１すなわち、ＬＥＤ照明器具２０の重量を軽くするためのものである。
なお、ケーシング２１の内部の構造は先の実施形態と同様である。
【００４６】
各溝５３〜５５の両端は開口しており、この開口部分より棒状のマグネット５０を挿入し、適宜な位置にスライドさせ、例えば接着剤等にて固定するようにしている。この溝５３〜５５内に配置するマグネット５０の長さ寸法や、個数は任意である。
また、溝５３〜５５内にマグネット５０を固定した状態では、マグネット５０の面が溝５３〜５５の開口面から外部へ露出しないようにしており、本実施形態では、マグネット５０をガラス棚保持金具バー１６や金属棚４８に直接吸着しない構造としてある。なお、このマグネット５０として、例えば、ネオジウム磁石を用いている。
【００４７】
図１９〜図２１は先の実施形態と同様に、上記マグネット５０を介してＬＥＤ照明器具２０をガラス棚保持金具バー１６の背面に配設した状態を示している。ＬＥＤ照明器具２０の正面の溝５３に複数のマグネット５０をスライド挿入させて、所定の位置にマグネット５０を接着剤等にて固定する。
そして、マグネット５０の磁力にてＬＥＤ照明器具２０をガラス棚保持金具バー１６の背面に吸着固定する。
【００４８】
ここで、先の実施形態では、シート状のマグネット３２がガラス棚保持金具バー１６の背面に直接吸着していたが、本実施形態では、マグネット５０自体はガラス棚保持金具バー１６に直接吸着せずに、マグネット５０の磁力にてＬＥＤ照明器具２０をガラス棚保持金具バー１６に配設すると、図２１に示すように、ＬＥＤ照明器具２０すなわち、ケーシング２１の正面がガラス棚保持金具バー１６の背面に直接接触した状態で、ＬＥＤ照明器具２０がガラス棚保持金具バー１６に配設される。
【００４９】
これにより、ケーシング２１の正面と、ガラス棚保持金具バー１６の背面とは略全面的に接触した状態となり、ケーシング２１からガラス棚保持金具バー１６への放熱効果を一層向上させることができる。
また、ＬＥＤ照明器具２０を交換する場合等は、先の実施形態と同様の効果を得ることができる。
【００５０】
図２２〜図２４は、ＬＥＤ照明器具２０を金属棚４８の下面に配設した場合を示している。かかる場合、ＬＥＤ照明器具２０のケーシング２１の上面の２条の溝５５に任意の数のマグネット５０をスライド挿入させて固定する。そして、マグネット５０を介して金属棚４８の下面に吸着固定する。
この場合も、マグネット５０が金属棚４８の下面に直接吸着するのではなく、ケーシング２１の上面が金属棚４８の下面に直接接触した状態のため、放熱効果を一層向上させることができる。
【００５１】
（第３の実施の形態）
ところで、先の実施形態では、ＬＥＤ照明器具２０をガラス棚保持金具バー１６の背面や、金属棚４８の下面に配設した場合、図８、図１１、図２１及び図２４に示すように、ＬＥＤ照明器具２０の下部がガラス棚保持金具バー１６や金属棚４８の端部４８ａより下方に突出している。
ＬＥＤ照明器具２０の高さ寸法を特に考慮せずに構成すると、ＬＥＤ照明器具２０の下部がガラス棚保持金具バー１６等より下方に突出する場合が生じてくる。
【００５２】
ＬＥＤ照明器具２０の下部がガラス棚保持金具バー１６等より下方に突出していると、ガラス棚１５等に陳列している商品を見る人に違和感を与えることにもなりかねない。
また、ＬＥＤ照明器具２０の下部がガラス棚保持金具バー１６等より下方に突出していると、商品の出し入れの際に商品がＬＥＤ照明器具２０に当たって商品を傷つけたりする場合もある。そのため、商品の出し入れの際には慎重にならざるを得ず、商品の出し入れの作業性が悪いということにもなる。
【００５３】
そこで、本実施形態では、ＬＥＤ照明器具２０の下部がガラス棚保持金具バー１６や金属棚４８の端部４８ａより下方に突出しないようにしたものである。
図２５は、ＬＥＤ照明器具２０の底面図を示し、図２６は、ＬＥＤ照明器具２０の正面図を示している。図２７は図２６のＢ方向を見た拡大側面図を、図２８はＬＥＤ照明器具２０の平面図をそれぞれ示している。また、図２９は図２６のＡ−Ａ拡大断面図を示している。
【００５４】
また、本実施形態では、ＬＥＤ照明器具２０の高さ寸法を短くするために、プリント基板２６は１枚だけとし、このプリント基板２６に発光ダイオードＬＥＤ、該発光ダイオードＬＥＤを駆動する電源回路部品を実装している。
【００５５】
図２５〜図２９において、発光ダイオードを納装するケーシング２１は、先の実施形態とは異なるが、機能として同様であり、また、マグネットはシート状のマグネット３２を用いている。シート状のマグネット３２を用いている点では第１の実施形態と同様である。
ケーシング２１は、断面が略コ字型となっており、このケーシング２１の一方の端面には端板２２にて閉塞され、ケーシング２１の他方の端面には先端にプラグ２４を設けたケーブル２５を挿通させている端板２３が配設され、この端板２３にてケーシング２１の側面が閉塞されている。
【００５６】
図２５及び図２９に示すように、ケーシング２１の天井面には細長状のプリント基板２６が該ケーシング２１の長手方向の略全長にわたって配設されている。このプリント基板２６の下面側には、所定の間隔でもって発光ダイオードＬＥＤが実装されている。
また、ケーシング２１の内側の下部には略全長にわたって溝２７が対向して凹設されていて、この両側の溝２７に透光性のカバー３０の端部が挿入され、このカバー３０によりケーシング２１の下面が閉塞されている。
【００５７】
図２５〜図２７に示すように、ケーブル２５が導出されているケーシング２１の下面には後述するスイッチ３１が設けられている。また、ケーシング２１の両側の外側面には、複数のシート状のマグネット３２が例えば、両面テープにて装着されている。
【００５８】
図３０はＬＥＤ照明器具２０の回路図を示しており、本実施形態では複数の発光ダイオードＬＥＤ、例えば図示例では７個の発光ダイオードＬＥＤを直列に接続した第１のＬＥＤ回路３３と、同様に構成した第２のＬＥＤ回路３４とで構成している。
第１のＬＥＤ回路３３では、昼白色を発光する複数の発光ダイオードＬＥＤ１１、ＬＥＤ１２〜ＬＥＤ１７等で構成されており、他方の第２のＬＥＤ回路３４では、電球色を発光する複数の発光ダイオードＬＥＤ２１、ＬＥＤ２２〜ＬＥＤ２７等で構成している。
【００５９】
なお、図３０では、発光ダイオードＬＥＤの発光色を、昼白色と電球色との２種類としているが、その他の色を発光させる発光ダイオードＬＥＤを用いて複数の直列回路を並列に構成するようにしても良い。
【００６０】
第１のＬＥＤ回路３３と第２のＬＥＤ回路３４の発光ダイオードＬＥＤ１７、ＬＥＤ２７のカソードは接続されてグランドラインとしており、第１のＬＥＤ回路３３の発光ダイオードＬＥＤ１１のアノードは、スイッチ３１の一方の端子３５に接続されている。また、第２のＬＥＤ回路３４の発光ダイオードＬＥＤ２１のアノードはスイッチ３１の他方の端子３６に接続されている。
スイッチ３１の共通端子３７には、電源装置からのＤＣ２４Ｖが印加されるようになっている。なお、本実施形態では、ＬＥＤ照明器具２０へはＤＣ２４Ｖが直接供給されるタイプとなっているが、ＬＥＤ照明器具２０にＡＣ１００Ｖが直接供給されるタイプのものでも良い。
【００６１】
スイッチ３１の操作ボタン（図２６等参照）３１ａを切り替え操作することで、スイッチ３１の接片３１ｂが端子３５あるいは端子３６に切り替わり、ＤＣ２４Ｖが第１のＬＥＤ回路３３あるいは第２のＬＥＤ回路３４に供給されて、昼白色あるいは電球色が発光するようになっている。
【００６２】
ここで、図３０では、第１のＬＥＤ回路３３及び第２のＬＥＤ回路３４の発光ダイオードＬＥＤは７個使用しているが、それ以上発光ダイオードＬＥＤを用いて回路を構成するようにしても良いのは言うまでもない。
図２５では、発光ダイオードＬＥＤをｎ個用いた場合を示しており、昼白色の発光ダイオードＬＥＤ１１、ＬＥＤ１２・・・と、電球色の発光ダイオードＬＥＤ２１、ＬＥＤ２２・・・とは、交互に、且つ一直線状に実装している。
【００６３】
これにより、スイッチ３１を操作して、昼白色あるいは電球色の発光ダイオードＬＥＤを点灯させても、ＬＥＤ照明器具２０の下面全体にわたって同じ色を照射させることができる。
なお、本実施形態では、異なる色を発光させるようにしているが、スイッチ３１等の部品を無くして同一色の発光ダイオードＬＥＤを用いて構成するようにしても良い。
【００６４】
ここで、ＬＥＤ照明器具２０の横方向の寸法は、什器１０のガラス棚保持金具バー１６の横方向の寸法より短く形成されていて、また、ＬＥＤ照明器具２０の高さ寸法は、ガラス棚保持金具バー１６の高さ寸法より短く形成されている。
【００６５】
また、ガラス棚保持金具バー１６は一般には鉄製で構成されており、この磁性体のガラス棚保持金具バー１６を利用して、ＬＥＤ照明器具２０の側面に設けたマグネット３２を介してＬＥＤ照明器具２０をガラス棚保持金具バー１６の背面側に簡単に着脱自在に装着できるようにしている。
【００６６】
図３１は、ガラス棚１５の下面側であって、ガラス棚保持金具バー１６の背面にマグネット３２を介してＬＥＤ照明器具２０を配設した状態を示している。図示例では、マグネット３２を３つ用いているが、ガラス棚保持金具バー１６の横方向の長さによっては４つ以上のマグネット３２を用いる場合もある。
ＬＥＤ照明器具２０の前後の面にマグネット３２をそれぞれ設けているが、これは、電源の関係で什器の支柱の左右のどちらかにある場合でも、ＬＥＤ照明器具２０の左右の向きを変えるだけでＬＥＤ照明器具２０をガラス棚保持金具バー１６に装着可能としているためである。これは、先の実施形態の場合も同様である。
したがって、什器１０の電源の位置に応じてＬＥＤ照明器具２０の左右の方向を変えるだけで、ＬＥＤ照明器具２０をマグネット３２を介してガラス棚保持金具バー１６に簡単に配設することができる。
【００６７】
図３２は、ガラス棚１５を正面から見た図を示し、図３３は拡大側面図を示している。図３２及び図３３に示すように、ＬＥＤ照明器具２０の高さ寸法は、ガラス棚保持金具バー１６の高さ寸法内に収まっており、そのため、什器１０を正面から見た場合に、ＬＥＤ照明器具２０は見えず、先の実施形態とは異なり、見る者に違和感を与えることもない。
また、ＬＥＤ照明器具２０がガラス棚保持金具バー１６より下方に突出していないので、ガラス棚１５に陳列する商品を出し入れの際に、商品がＬＥＤ照明器具２０に接触することもなく、展示物の出し入れに支障をきたすこともない。本実施形態でも、先の第１の実施形態と同様の効果を奏する。
【００６８】
また、スイッチ３１の切り替え操作により、発光色の異なる色を照射させることができる。例えば、季節に応じて所望の色を発光させてガラス棚１５に陳列している商品に照射させることで、見る人に季節感を醸し出すことができ、商品の購買意欲を高めることもできる。
【００６９】
なお、本実施形態のＬＥＤ照明器具２０を金属棚４８の下面に配設する場合は、ケーシング２１の上面に上記と同様にシート状のマグネット３２を配設することで、ＬＥＤ照明器具２０を金属棚４８の下面に容易に装着することができる。また、かかる場合、ＬＥＤ照明器具２０の下部は金属棚４８の端部４８ａより下方に突出しない寸法としている。
また、ＬＥＤ照明器具２０をマグネット３２を介して金属棚４８の下面に配設した場合でも、上記実施形態と同様の効果を奏する。
【００７０】
（第４の実施の形態）
次に、第４の実施形態を図３４〜図５０により説明する。本実施形態では、第３の実施形態の場合と同様にプリント基板２６を１枚として、ＬＥＤ照明器具２０の高さ寸法をガラス棚保持金具バー１６及び金属棚４８の端部４８ａの高さ寸法より短くあるいは同じに形成したものである。
【００７１】
また、ケーシング２１の構造としてはマグネット５０を用いるようにしているので、第２の実施形態のケーシング２１と同様な構造である。しかし、図１７に示す溝５１は形成せず、図３９に示すように、溝５２だけを形成している。また、カバー３０の両側の端部が挿入される溝２７は第２の実施形態の場合と同様に形成している。
第２の実施形態のケーシング２１の高さ寸法と比較して（図１７及び図３９）、溝５１を無くした分だけ本実施形態のケーシング２１の高さ寸法は短く形成している。
【００７２】
本実施形態でのＬＥＤ照明器具２０の基本的な構造は第２の実施形態と同様である。図３４はＬＥＤ照明器具２０の平面図を、図３５はＬＥＤ照明器具２０の正面図を、図３５はＬＥＤ照明器具２０の底面図をそれぞれ示している。また、図３７はＬＥＤ照明器具２０の左側面図を、図３８はＬＥＤ照明器具２０の右側面図をそれぞれ示している。
【００７３】
図３９はケーシング２１の断面図を示しており、断面を略コ字型としたケーシング２１の両側の端面及び下面は開口されている。ケーシング２１の内側の下部にはカバー３０を挿入するための溝２７が略全長にわたって対向して形成されている。また、ケーシング２１の内側の上部にはプリント基板２６を挿入するための溝５２が略全長にわたって対向して形成されている。
【００７４】
また、ケーシング２１の前面及び後面には、第２の実施形態と同様にマグネット５０を挿入するための溝５３が略全長にわたってそれぞれ形成されている。さらに、ケーシング２１の上面にも第２の実施形態と同様にマグネット５０を挿入するための２条の溝５５が略全長にわたって形成されている。
ケーシング２１の前面の溝５３はガラス棚保持金具バー１６の背面に配設する場合であり、後面の溝５４は電源の関係でＬＥＤ照明器具２０を左右を逆にして配設する場合である。また、ケーシング２１の上面の溝５５は金属棚４８の下面に配設する場合である。
【００７５】
図４０は、ケーシング２１の溝５２に、下面にプリント基板２６を配設した板状の絶縁材５７の端部を挿入してプリント基板２６及びカバー３０をケーシング２１内に配設した状態を示している。
【００７６】
図４１はケーシング２１の各溝５３〜５５に第２の実施形態と同様にマグネット５０を挿入固定した状態を示している。予めマグネット５０を図４１に示すように各溝５３〜５５にマグネット５０を挿入しておき、ＬＥＤ照明器具２０を配設する箇所がガラス棚保持金具バー１６や金属棚４８に対応できるようにしておいても良い。
【００７７】
図４２は溝５３にマグネット５０を挿入してガラス棚保持金具バー１６の背面に配設する場合であり、図４３は、電源の関係でＬＥＤ照明器具２０を左右を逆にして配設する場合で、溝５４にマグネット５０を挿入している状態を示す。また、図４４はケーシング２１の上面の溝５５にマグネット５０を挿入した場合であり、ＬＥＤ照明器具２０を金属棚４８の下面に配設する場合である。
【００７８】
図４５〜図４７は、マグネット５０を介してＬＥＤ照明器具２０をガラス棚保持金具バー１６の背面に配設した状態を示している。図４７に示すように、マグネット５０の吸引力によりガラス棚保持金具バー１６の背面にＬＥＤ照明器具２０を吸着させており、ケーシング２１の前面はガラス棚保持金具バー１６の背面に直接に面接触している。これにより、ケーシング２１からの放熱効果を一層向上させることができる。
【００７９】
図４８〜図５０はＬＥＤ照明器具２０を金属棚４８の下面にケーシング２１の上面に配したマグネット５０により吸着させてＬＥＤ照明器具２０を固定した場合を示している。かかる場合もケーシング２１の上面が金属棚４８の下面に直接に面接触しているので、ケーシング２１からの放熱効果を一層向上させることができる。
【００８０】
本実施形態においても、ＬＥＤ照明器具２０の交換をする場合も先の実施形態と同様にガラス棚１５を取り外すことなく簡単に行なうことができる。
本実施形態では、ＬＥＤ照明器具２０の高さ寸法は、ガラス棚保持金具バー１６や金属棚４８の端部４８ａの高さ寸法内に収めているため、什器を正面から見た場合、ＬＥＤ照明器具２０は見えず、違和感を与えることもない。
また、ＬＥＤ照明器具２０がガラス棚保持金具バー１６や金属棚４８の端部４８ａより下方に突出していないので、ガラス棚１５に陳列する商品の出し入れの際に、商品がＬＥＤ照明器具２０に接触することもなく、展示物の出し入れに支障をきたすこともない。
【００８１】
なお、ケーシング２１の前面、背面及び上面には、それぞれ溝５３〜５５を形成しているので、ＬＥＤ照明器具２０を配設する場合、什器１０に用いられている棚がガラス棚保持金具バー１６あるいは金属棚４８の場合でも、所望の溝に第２のマグネット５０を配置するだけで、簡単にＬＥＤ照明器具２０を配設することができる。また、電源の関係でＬＥＤ照明器具２０を左右を逆にして配設する場合でも、溝５４にマグネット５０を配置するだけで、かかる場合でも対応することができる。
【００８２】
図５１及び図５２は、上記各実施形態で用いられる回路図を示しており、図５１はＡＣ１００Ｖをトランス、整流回路等からなる電源回路部７１にてＤＣ２４Ｖに変換し、このＤＣ２４Ｖを発光ダイオードＬＥＤに供給しているものである。ＬＥＤ照明器具２０側でＡＣ１００Ｖを供給するようにしても良く、また、ＤＣ２４ＶをＬＥＤ照明器具２０に供給するようにしても良い。
また、図５２は、ＡＣ１００ＶをダイオードブリッジＤＢで全波整流し、これを発光ダイオードＬＥＤに供給しているものである。
【符号の説明】
【００８３】
１０  什器
１２  支柱
１３  支柱
１４  ブラケット
１５  ガラス棚
１６  ガラス棚保持金具バー
２０  ＬＥＤ照明器具
２１  ケーシング
３２  マグネット
４８  金属棚
４８ａ  端部
５０  マグネット
５３  溝
５４  溝
５５  溝
【図１】
0006300283.tif 000002
【図２】
0006300283.tif 000003
【図３】
0006300283.tif 000004
【図４】
0006300283.tif 000005
【図５】
0006300283.tif 000006
【図６】
0006300283.tif 000007
【図７】
0006300283.tif 000008
【図８】
0006300283.tif 000009
【図９】
0006300283.tif 000010
【図１０】
0006300283.tif 000011
【図１１】
0006300283.tif 000012
【図１２】
0006300283.tif 000013
【図１３】
0006300283.tif 000014
【図１４】
0006300283.tif 000015
【図１５】
0006300283.tif 000016
【図１６】
0006300283.tif 000017
【図１７】
0006300283.tif 000018
【図１８】
0006300283.tif 000019
【図１９】
0006300283.tif 000020
【図２０】
0006300283.tif 000021
【図２１】
0006300283.tif 000022
【図２２】
0006300283.tif 000023
【図２３】
0006300283.tif 000024
【図２４】
0006300283.tif 000025
【図２５】
0006300283.tif 000026
【図２６】
0006300283.tif 000027
【図２７】
0006300283.tif 000028
【図２８】
0006300283.tif 000029
【図２９】
0006300283.tif 000030
【図３０】
0006300283.tif 000031
【図３１】
0006300283.tif 000032
【図３２】
0006300283.tif 000033
【図３３】
0006300283.tif 000034
【図３４】
0006300283.tif 000035
【図３５】
0006300283.tif 000036
【図３６】
0006300283.tif 000037
【図３７】
0006300283.tif 000038
【図３８】
0006300283.tif 000039
【図３９】
0006300283.tif 000040
【図４０】
0006300283.tif 000041
【図４１】
0006300283.tif 000042
【図４２】
0006300283.tif 000043
【図４３】
0006300283.tif 000044
【図４４】
0006300283.tif 000045
【図４５】
0006300283.tif 000046
【図４６】
0006300283.tif 000047
【図４７】
0006300283.tif 000048
【図４８】
0006300283.tif 000049
【図４９】
0006300283.tif 000050
【図５０】
0006300283.tif 000051
【図５１】
0006300283.tif 000052
【図５２】
0006300283.tif 000053
【図５３】
0006300283.tif 000054
【図５４】
0006300283.tif 000055
【図５５】
0006300283.tif 000056
【図５６】
0006300283.tif 000057
【図５７】
0006300283.tif 000058
【図５８】
0006300283.tif 000059
【図５９】
0006300283.tif 000060
【図６０】
0006300283.tif 000061
【図６１】
0006300283.tif 000062
【図６２】
0006300283.tif 000063
【図６３】
0006300283.tif 000064